(57)【要約】【課題】使用しないときはコンパクトな状態に形を変えて、室内空間を狭めることなく、介護ベッドとして、またベンチとして使用できるなど多用途に使用できるベンチ兼用介護ベッドを提供する。【解決手段】内部に収納部２を備え、この収納部の上部開口を開閉可能に臥床プレート３で閉じた長尺状のベッド本体部１と、ベッド本体部の長手方向の前面板部７に、閉じられた状態と臥床プレート３と面一状となるように持ち上げられた状態との間で回動自在にベッド本体部１に結合された長尺状の折り畳み臥床プレート１６と、折り畳み臥床プレート１６が持ち上げられて前記ベッド本体部１の臥床プレート３と面一状となった状態で折り畳み臥床プレート１６を下側から支持する脚部１７と、を備え、折り畳み臥床プレート１６を下側から支持する脚部１７は、ベッド本体部１の前面板部７から直角に外側に突出した状態でロック手段１９により固定されていることを特徴とする。【選択図】図１９
2017217332.tif 000002
【特許請求の範囲】
【請求項１】
内部に収納部を備え、この収納部の上部開口を開閉可能に臥床プレートで閉じた長尺状のベッド本体部と、
前記ベッド本体部の長手方向の前面部に、閉じられた状態と前記臥床プレートと面一状となるように持ち上げられた状態との間で回動自在に前記ベッド本体部に結合された長尺状の折り畳み臥床プレートと、
前記折り畳み臥床プレートが持ち上げられて前記ベッド本体部の臥床プレートと面一状となった状態で折り畳み臥床プレートを下側から支持する脚部と、
を備えてなることを特徴とするベンチ兼用介護ベッド。
【請求項２】
折り畳み臥床プレートを下側から支持する脚部は、ベッド本体部の長手方向の前面を形成する前面板部にヒンジ結合され、前記前面板部に重なった状態と前面板部から直角に外側に突出した状態との間で回動自在な板状部材であり、この脚部が前記前面板部から直角に外側に突出した状態で前記折り畳み臥床プレートを支持するように構成されてなることを特徴とする請求項１記載のベンチ兼用介護ベッド。
【請求項３】
折り畳み臥床プレートを下側から支持する脚部は、ベッド本体部の前面板部から外側に突出した状態でロック手段により固定されるように構成されてなることを特徴とする請求項２記載のベンチ兼用介護ベッド。
【請求項４】
折り畳み臥床プレートの裏面に、前面板部から突出した状態の脚部の上部を挟持して位置固定する位置固定用の突起が設けられ、さらに前記折り畳み臥床プレートの裏面に、ロック手段の一方の係合部が取り付けられ、前記一方の係合部と対応する脚部の位置に、前記一方の係合部が係止する他方の係止片が取り付けられていることを特徴とする請求項３記載のベンチ兼用介護ベッド。
【発明の詳細な説明】
【技術分野】
【０００１】
本発明は、例えば、老人ホームや病院などの介護施設の介護ベッドとして使用したりベンチとしても使用することができるベンチ兼用介護ベッドに関するものである。
【背景技術】
【０００２】
従来、老人ホームや病院などの施設において、高齢者や身体障害者などの被介護者を入浴させるために、介護ベッドを脱衣場に設置し、そのベッドの上に被介護者を横たえて、衣類を脱がせて入浴させ、入浴後はそのベッドで再び衣類を着せている。また、リハビリ施設などで被介護者のおむつを交換する際にも介護ベッドが使われている。この種の介護ベッドは、安全であること、場所を取らないこと、安価であること、介護者が取り扱い安いこと、応用範囲が広いこと等が要望される。
【０００３】
特許文献１は、分解可能な簡易ベッドの一例を開示している。この特許文献１の簡易ベッドは、マットとベッドの枠組みとから構成され、さらに、ベッドの枠組みは、連結部材により縦枠部材、横枠部材、脚部材、中間部材が連結されており、ベッドの枠組みを細かく分解できるよう構成され、必要でないときは分解して倉庫などに収納できるようになっている。
【０００４】
特許文献２は、壁側に折り畳み可能な介護装置を開示している。この特許文献２の介護装置は、壁に沿わせて鉛直方向に自立可能な本体が設置され、この本体に昇降機構が昇降可能に取り付けられ、この昇降機構に水平位置から鉛直方向近傍まで折り畳み可能で被介護者を横たえる基台が取り付けられ、この基台の前辺部の側部に、基台昇降時に手がかりとなる手摺を起倒可能に設けている。前記特許文献２の介護装置は、この介護装置を必要としない時は、前記被介護者を横たえる基台を本体側に折り畳むことができる。
【先行技術文献】
【特許文献】
【０００５】
【特許文献１】実開平３−８２０５７号公報
【特許文献２】特開２００１−６１９０１号公報
【発明の概要】
【発明が解決しようとする課題】
【０００６】
前記特許文献１の簡易ベッドは、ベッドの枠組みを分解して容積を小さくすることができて収納場所を取らない利点はあるが、分解には手間がかかるし、分解した場合は他に利用が利かないため、倉庫などに収納しておく以外に方法がなく、他への応用が利かないという課題がある。
【０００７】
前記特許文献２の折り畳み可能な介護装置は、使用しない時は、被介護者を横たえる基台を本体側に折り畳むことができるので、介護者にとっては操作しやすいという利点はあるが、この介護装置は、本体が転倒しないよう、あるいは動かないようにする必要があり、設置のために安全性を確保しなければならないし、設置場所が限定されるという課題がある。しかも、この介護装置は高価にならざるを得ないという課題もある。
【０００８】
本発明の目的は、このような課題を解決するものであり、使用しないときはコンパクトな状態に形を変えて設置でき、室内空間を狭めることなく、介護ベッドとして、またベンチとして使用できる多用途で、設置場所に制限されない安価なベンチ兼用介護ベッドを提供することにある。
【課題を解決するための手段】
【０００９】
本発明の請求項１に記載のベンチ兼用介護ベッドは、内部に収納部を備え、この収納部の上部開口を開閉可能に臥床プレートで閉じた長尺状のベッド本体部と、前記ベッド本体部の長手方向の前面部に、閉じられた状態と前記臥床プレートと面一状となるように持ち上げられた状態との間で回動自在に前記ベッド本体部に結合された長尺状の折り畳み臥床プレートと、前記折り畳み臥床プレートが持ち上げられて前記ベッド本体部の臥床プレートと面一状となった状態で折り畳み臥床プレートを下側から支持する脚部と、を備えている。
上記構成により、本発明のベンチ兼用介護ベッドは、介護用ベッドとして使用するときは折り畳み臥床プレートを持ち上げて脚部で支持し、所望するベッド幅に形を変える。ベッドとして使用しないときは、折り畳み臥床プレートを閉じて幅を狭くして室内空間を広くすることができる。
また、折り畳み臥床プレートが閉じられてベッド幅が狭い状態となっているときは幅の狭いベンチとしても使用することができる。
さらに、ベッド本体部は内部に収納部を備えているので、収納部の上部開口を閉じた臥床プレートを開くと衣類などを入れる収納庫として使用することができる。
【００１０】
請求項２に記載のベンチ兼用介護ベッドは、折り畳み臥床プレートを下側から支持する脚部は、ベッド本体部の長手方向の前面を形成する前面板部にヒンジ結合され、前記前面板部に重なった状態と前面板部から直角に外側に突出した状態との間で回動自在な板状部材であり、この脚部が前記前面板部から直角に外側に突出した状態で前記折り畳み臥床プレートを支持するように構成されている。
この構成により、ベッドとして使用しないときは長尺状の折り畳み可能な臥床プレートおよび板状部材からなる脚部は折り畳まれて全体がコンパクトな状態となる。
【００１１】
請求項３に記載のベンチ兼用介護ベッドは、折り畳み臥床プレートを下側から支持する脚部は、ベッド本体部の前面板部から直角に外側に突出した状態でロック手段により固定されるように構成されている。
前記折り畳み臥床プレートを下側から支持する脚部は、ベッド本体部の前面板部から直角に外側に突出した状態でロック手段により固定されるように構成されていることにより、長尺状の折り畳み臥床プレートを確実にロック状態とすることができる。
【００１２】
請求項４に記載のベンチ兼用介護ベッドは、折り畳み臥床プレートの裏面に、前面板部から突出した状態の脚部の上部を挟持して位置固定する位置固定用の突起が設けられ、前記折り畳み臥床プレートの裏面に、ロック手段の一方の係合部が取り付けられ、前記一方の係合部と対応する脚部の位置に、前記一方の係合部が係止する他方の係止片が取り付けられている。
前記のように、折り畳み臥床プレートの裏面に、前面板部から突出した状態の脚部の上部を挟持して位置固定する位置固定用の突起を備え、ロック手段は、前記折り畳み臥床プレートの裏面に取り付けられたロック手段の一方の係合部と、前記一方の係合部と対応する脚部の位置に、前記一方の係合部が係止する他方の係止片とから構成されているので、折り畳み臥床プレートは開かれた状態でより確実にロックできると共に、簡単にロックを解除すこともできる。
【発明の効果】
【００１３】
本発明のベンチ兼用介護ベッドは前記構成により、室内空間を広く使用できると共に、介護用ベッドやベンチとして、さらには収納庫としても多用途に使用できる。
【図面の簡単な説明】
【００１４】
【図１】本発明のベンチ兼用介護ベッドが介護ベッドとして使用可能な状態の正面図
【図２】同ベンチ兼用介護ベッドが介護ベッドとして使用可能な状態の背面図
【図３】同ベンチ兼用介護ベッドが介護ベッドとして使用可能な状態の右側面図
【図４】同ベンチ兼用介護ベッドが介護ベッドとして使用可能な状態の左側面図
【図５】同ベンチ兼用介護ベッドが介護ベッドとして使用可能な状態の平面図
【図６】同ベンチ兼用介護ベッドが介護ベッドとして使用可能な状態の底面図
【図７】同ベンチ兼用介護ベッドの折り畳み臥床プレートが畳まれた状態の正面図
【図８】同ベンチ兼用介護ベッドの折り畳み臥床プレートが畳まれた状態の背面図
【図９】同ベンチ兼用介護ベッドの折り畳み臥床プレートが畳まれた状態の右側面図
【図１０】同ベンチ兼用介護ベッドの折り畳み臥床プレートが畳まれた状態の左側面図
【図１１】同ベンチ兼用介護ベッドの折り畳み臥床プレートが畳まれた状態の平面図
【図１２】同ベンチ兼用介護ベッドの折り畳み臥床プレートが畳まれた状態の底面図
【図１３】同ベンチ兼用介護ベッドの臥床プレートを開いた状態の要部拡大斜視図
【図１４】同ベンチ兼用介護ベッドの脚部の取り付け部の要部拡大斜視図
【図１５】同ベンチ兼用介護ベッドの折り畳み臥床プレートの取り付け部の要部拡大斜視図
【図１６】同ベンチ兼用介護ベッドのロック手段の解除状態の要部拡大斜視図
【図１７】同ベンチ兼用介護ベッドのロック手段のロック状態の要部拡大斜視図
【図１８】同ベンチ兼用介護ベッドのロック手段のロック状態の要部拡大側面図
【図１９】同ベンチ兼用介護ベッドが介護ベッドとして使用可能な状態の斜視図
【図２０】同ベンチ兼用介護ベッドがベンチとして使用可能な状態の斜視図
【図２１】同ベンチ兼用介護ベッドの臥床プレートを開いた状態の斜視図
【図２２】同ベンチ兼用介護ベッドを介護ベッドとして使用可能な状態の背面側斜視図
【図２３】同ベンチ兼用介護ベッドを介護ベッドとして使用可能な状態の底面側斜視図
【発明を実施するための形態】
【００１５】
以下、本発明の一実施の形態を、図１〜図２３に基づいて説明する。
図において、１は、長尺状のベンチ兼用ベッドのベッド本体部を示しており、このベッド本体部１は、所望するベッド幅のほぼ半分の幅を有し、内部に衣類や介護用品などの種々の物品が収納できる収納部２を備え、この収納部２の上部開口が臥床プレート３で開閉可能に閉じられている。この臥床プレート３は、木製の板体４の上面にウレタンシートが装着され、このウレタンシートの上面をビニールレーザで被覆している。この臥床プレート３は、マットレスのように厚みがないので、被介護者の体が沈み込むようなことがなく、適当な硬さとクッション性を有しているために被介護者の衣類の着脱やおむつ交換の際の作業がしやすいという特徴を有する。
【００１６】
前記ベッド本体部１は長尺状の木製の底板部５と、この底板部５の長手方向両端の短辺から鉛直に起立する木製の左右両側板部６,６と、前記底板部５の前側部から鉛直に起立する木製の前面板部７と、前記底板部５の後側部から鉛直に起立する木製の後面板部８とにより構成され、これらの板部により、内部が箱状の収納部２となっている。なお、前記底板部４は床面から少し浮いた位置になるように上げ底状態となっている。前記ベッド本体部１の後面板部８の内側上部に、前記板体４の側部が複数のスライド蝶番９でヒンジ結合され、前記板体４がベッド本体部１の開口上縁部で受けられて収納部２を閉蓋するように構成されている。
【００１７】
なお、本実施の形態では、前記収納部２の内部は、長手方向中央部が木製の仕切り板１０で仕切られて２分割されている。それに伴い前記臥床プレート３も前記ベッド本体部１の長手方向中央部で２分割されている。しかし、収納部２は３分割又はそれ以上であってもよい。逆に、収納部２を分割する必要はないし、臥床プレート３も２分割する必要はない。
【００１８】
前記ベッド本体部１の左右両側板部６,６は後面板部８より僅かに後方へ突出しており、ベッド本体部１の背面が室内の壁面に近接してベンチ兼用ベッドが設置された場合でも前記臥床プレート３が室内の壁面から僅かに離れて、前記臥床プレート３が開く際に支障をきたすことがないように構成されている。１１は木製の補助棒材であって、後面板部８より後方へ突出した左右両側板部６,６の上端間を塞ぐように後面板部８の背面に取り付けられている。
【００１９】
また、前記左右両側板部６,６は前面板部７より僅かに前方へ突出しており、図１３に示すように、前面板部７の前面と左右両側板部６,６の突出部とにより後述する板状部材からなる脚部が収納可能な隙間１２が設けられている。なお、前記臥床プレート３（板体４）は、収納部２の上部開口と前記隙間１２の上部の両方を覆う幅を有している。なお、図１２に示すように、隙間１２内に被介護者が指を挟まないよう安全のために、隙間１２の上部開口部を、下記の折り畳み可能な臥床プレート１６から延長するビニールレーザ製のカバーシート２８でカバーしている。
【００２０】
１６は折り畳み可能な臥床プレートを示している。この折り畳み臥床プレート１６は、ベッド幅の残りのほぼ半分の幅を有し、長尺状の木製の板体１３の上面に前記臥床プレート３と同様の材料のウレタンシートが装着され、このウレタンシートの上面をビニールレーザで被覆している。この折り畳み可能な臥床プレート１６は、ベッド本体部１と同じ長さ寸法と、前面板部７の高さと同じ幅寸法を有しており、折り畳んだ状態では前面板部７の前面側を覆っている。この折り畳み臥床プレート１６が水平な状態に持ち上げられて、木製の脚部１７により下側から支持されると、折り畳み臥床プレート１６は前記臥床プレート３と面一状となり被介護者を横たえる介護ベッドとなる。なお、臥床プレート３の長尺状の木製の板体１３は、前面板部７の上端に、前記隙間１２と同じ寸法の木製のスペーサー１４を介して平蝶番１５により折り畳み可能にヒンジ結合され、臥床プレート３が下方に閉じた状態と水平に持ち上げられた状態との間で回動自在としている。このため、図１３に示すように、脚部１７が前面板部７側に閉じられて隙間１２に格納されると共に、折り畳み臥床プレート１６が前記脚部１７と干渉することなく、下方に折り畳むことができる。
【００２１】
なお、前記脚部１７は、前面板部７の正面の長手方向両端近傍部の上下方向に取り付けられた平蝶番１８,１８により回動自在にヒンジ結合されている。この脚部１７の寸法は、下端面が床材に接し、上端面が折り畳み可能な臥床プレート１６を水平に支持できる上下方向の寸法を有し、前記臥床プレート１６が閉じられた状態において前面板部７と板材１３との隙間１２内に収まる厚み寸法に設定されている。
【００２２】
１９は、脚部１７をロックするためのロック手段である。このロック手段１９は、図１６〜図１８に示すように、脚部１７の側部上端に取り付けられた係止金具２０と、折り畳み可能な臥床プレート１６の板体１３の裏面に取り付けられ、前記係止金具２０と係脱自在に係合する合成樹脂製の係合部材２１とから構成されている。なお、このロック手段１９は、前記脚部１７が平蝶番１８を中心に回転して前面板部７から正面側に直角に突き出て、この直角に突き出た脚部１７上に前記折り畳み可能な臥床プレート１６を水平に支持し、前記臥床プレート１６の上下方向の移動をロックするために設けられている。
【００２３】
前記係止金具２０は、Ｌ字形に折り曲げられた金属製の金具であって、前記のように脚部１７の側部上端に木ネジにより取り付けられている。この係止金具２０の折り曲げ係止片２０ａは脚部１７の側部面から直角に突出している。
【００２４】
前記係合部材２１は、長尺な板体１３の前側部の裏面に木ネジで取り付けられた本体２４と、この本体２４に水平な軸２５を介して軸支された係脱部２６とからなっている。係脱部２６は、上端に操作指掛け片２６ａを備えると共に、下端に前記係止金具２０の折り曲げ係止片２０ａと係合する爪片２６ｂを備え、ばね(図示せず)により下向きに付勢されている。
【００２５】
ロック手段１９の係合部材２１に近接して、木製の一対の突起２３が前記長尺状の板体１３の前端部裏面に設けられている。前記脚部１７が前面板部７から正面側に直角に突き出た状態において、一対の突起２３間の凹部２２が脚部１７の上部に上方から嵌り込み、脚部１７の横方向（正面視において、左右方向）の移動を規制し、前記ロック手段１９と共働して脚部１７を確実にロックする。なお、一方の突起２３には、緩衝部材２７が取り付けられ、折り畳み可能な臥床プレート１６を閉じる際に、前面板部７への追突の衝撃を緩めている。
【００２６】
ベッドの使用に際しては、前記脚部１７をベッド本体部１の前面板部７から正面側に直角に突き出た状態にしておき、前記係脱部２６の操作指掛け片２６ａに指を掛けて爪片２６ｂを開いておき、かかる状態で折り畳み可能な臥床プレート１６を水平状態よりもやや上向きに持ち上げて前記一対の突起２３間の凹部２２を脚部１７の上端に嵌め込む。操作指掛け片２６ａから指を離し、爪片２６ｂを係止金具２０の折り曲げ係止片２０ａに係止させることにより折り畳み可能な臥床プレート１６及び脚部１７がロックされる。
【００２７】
次に、前記構成のベンチ兼用介護ベッドの使用状態について説明する。
前記構成において、ベンチ兼用介護ベッドの背面が例えば風呂場の脱衣場の壁面に沿うように設置する。このベンチ兼用介護ベッドを介護ベッドとして使用するときは図１９に示すようにベッド本体部１上部の臥床プレート３を閉じると共に、前記脚部１７を正面側に直角に突き出た状態にしておき、折り畳み可能な臥床プレート１６を下方から脚部１７で受けることによりベッド状態の形を作り、ロック手段１９により前記臥床プレート１６をロックする。この状態でベンチ兼用介護ベッド上に被介護者を横たえて、入浴のために衣類を脱がせる。入浴後もこのベンチ兼用介護ベッド上で衣類を着せる。なお、着せ替え用の新しい衣類は収納部２内に予め収納しておき、図２１に示すように臥床プレート３を開いて、着せ替え前に衣類を取り出しておく。なお、収納部２を着せ替えの終わった衣類を一時的に収納する場所として利用してもよい。その他、収納部２は種々の介護用品を収納しておくのに便利である。
【００２８】
また、ベンチ兼用介護ベッドを介護ベッドとしては使用しない時は、ロック手段１９を解除して、図２０に示すように、前記脚部１７を前面板部７側に折り畳んだ後、折り畳み可能な臥床プレート１６を折り畳んでおけば、全体がコンパクトな状態となり、室内空間を広く使用することができる。このように、ベンチ兼用介護ベッドをコンパクトな状態にしておくと、臥床プレート３上に腰を降ろす形のベンチとして使用することができる。つまり、上記構成のベンチ兼用介護ベッドは介護ベッドおよびベンチとして使用することができる共に、衣類や介護用品の収納庫としても利用できるなど、多用途に使用できる。
【００２９】
なお、このベンチ兼用介護ベッドを他の場所で使用したい場合は、簡単に室から室へ移動することができ、しかも、特別な設置準備を必要とせず簡単に設置できるので、応用範囲が広いという利点がある。
【産業上の利用可能性】
【００３０】
本発明は、介護用ベッドとして使用でき、介護用ベッドとして使用しないときはコンパクトな状態に形を変えて、ベンチとして使用でき、室内空間を狭めることなく使用できるベンチ兼用介護ベッドとして利用可能である。
【符号の説明】
【００３１】
１      ベッド本体部
２      収納部
３      臥床プレート
４      板体
７      前面板部
９      スライド蝶番
１２    隙間
１３    板体
１５    平蝶番
１６    折り畳み可能な臥床プレート
１７    脚部
１８    平蝶番
１９    ロック手段
２０    係止金具
２１    係合部材
２２    凹部
２３    突起
２４    本体
２５    軸
２６    係脱部
２６ａ  操作指掛け片
２６ｂ  爪片
【図１】
2017217332.tif 000003
【図２】
2017217332.tif 000004
【図３】
2017217332.tif 000005
【図４】
2017217332.tif 000006
【図５】
2017217332.tif 000007
【図６】
2017217332.tif 000008
【図７】
2017217332.tif 000009
【図８】
2017217332.tif 000010
【図９】
2017217332.tif 000011
【図１０】
2017217332.tif 000012
【図１１】
2017217332.tif 000013
【図１２】
2017217332.tif 000014
【図１３】
2017217332.tif 000015
【図１４】
2017217332.tif 000016
【図１５】
2017217332.tif 000017
【図１６】
2017217332.tif 000018
【図１７】
2017217332.tif 000019
【図１８】
2017217332.tif 000020
【図１９】
2017217332.tif 000021
【図２０】
2017217332.tif 000022
【図２１】
2017217332.tif 000023
【図２２】
2017217332.tif 000024
【図２３】
2017217332.tif 000025
【手続補正書】
【提出日】平成28年6月9日(2016.6.9)
【手続補正１】
【補正対象書類名】図面
【補正対象項目名】図２０
【補正方法】変更
【補正の内容】
【図２０】
2017217332.tif 000026